(57)【要約】【課題】モジュレーション板の設定位置が容易に狂わないようにする。【解決手段】回転操作環６５は、パッド６４と、鏡筒５１の周囲に設けられているフランジ５１Ａの間において鏡筒５１に嵌合され、鏡筒５１の周りを回転することにより、光軸Ａ１を中心にレンズ５４を回転させる。クランプ環６９は、鏡筒５１に嵌合され、鏡筒５１の周りを所定の方向に回転することにより、ネジ送り機構によりパッド６４の方向に移動し、パッド６４を介して回転操作環６５をフランジ５１Ａの方向に押しつけ、所定の方向と逆方向に回転することにより、ネジ送り機構によりパッド６４と逆の方向に移動し、パッド６４を介して回転操作環６５をフランジ５１Ａの方向に押しつける力を緩和する。本発明は、例えば、顕微鏡の対物レンズに適用できる。【選択図】図２
2010008629.tif 000002
【特許請求の範囲】
【請求項１】
モジュレーション板を備える対物レンズにおいて、
前記モジュレーション板を収納する筒状の筐体と、
前記筐体に嵌合され、前記対物レンズの光軸と平行な方向に移動可能である固定部材と、
前記筐体の周囲に設けられているフランジと前記固定部材の間に設けられ、前記光軸を中心に前記モジュレーション板を回転させる位置決め部材と、
前記筐体に嵌合され、前記固定部材の方向に移動し、前記固定部材を介して前記位置決め部材を前記フランジの方向に押しつけ可能であり、また、前記固定部材と逆の方向に移動し、前記固定部材を介して前記位置決め部材を前記フランジの方向に押しつける力を緩和する第１の操作部材と
を備えることを特徴とする対物レンズ。
【請求項２】
前記第１の操作部材は、前記筐体の周りを所定の方向に回転することにより、ネジ送り機構により、前記固定部材の方向または逆の方向に移動するものである
ことを特徴とする請求項１に記載の対物レンズ。
【請求項３】
前記位置決め部材と前記第１の操作部材の最大径が異なる
ことを特徴とする請求項１または２に記載の対物レンズ。
【請求項４】
前記筐体に収納され、前記光軸方向に移動可能な可動レンズと、
前記筐体に嵌合され、前記筐体の周りを回転することにより前記可動レンズを前記光軸方向に移動させる第２の操作部材と
をさらに備え、
前記位置決め部材、前記第１の操作部材、および、前記第２の操作部材の最大径がそれぞれ異なる
ことを特徴とする請求項１から３の何れか１項に記載の対物レンズ。
【請求項５】
前記筐体内において前記モジュレーション板を保持し、前記光軸を中心にして回転可能なレンズ室を
さらに備え、
前記位置決め部材と前記レンズ室の前記筐体を介して対向する位置にそれぞれ磁石が設けられ、
前記位置決め部材が前記筐体の周りを回転するのに伴い、前記磁石による磁力により前記レンズ室が前記光軸を中心にして回転する
ことを特徴とする請求項１から４の何れか１項に記載の対物レンズ。
【請求項６】
モジュレーション板を備える対物レンズであって、
前記モジュレーション板を収納する筒状の筐体と、
前記筐体に嵌合され、前記対物レンズの光軸と平行な方向に移動可能である固定部材と、
前記筐体の周囲に設けられているフランジと前記固定部材の間に設けられ、前記光軸を中心に前記モジュレーション板を回転させる位置決め部材と、
前記筐体に嵌合され、前記固定部材の方向に移動し、前記固定部材を介して前記位置決め部材を前記フランジの方向に押しつけ可能であり、また、前記固定部材と逆の方向に移動し、前記固定部材を介して前記位置決め部材を前記フランジの方向に押しつける力を緩和する操作部材と
を備える対物レンズを備えることを特徴とする顕微鏡。
【発明の詳細な説明】
【技術分野】
【０００１】
本発明は、対物レンズおよび顕微鏡に関し、特に、モジュレーション板を備える対物レンズおよび顕微鏡に関する。
【背景技術】
【０００２】
従来、対物レンズの瞳位置に配置されたモジュレーション板をピンを用いて回転できるようにした対物レンズが提案されている（例えば、特許文献１参照）。
【０００３】
【特許文献１】特開平１０−１４２５１２号公報
【発明の開示】
【発明が解決しようとする課題】
【０００４】
しかしながら、特許文献１に記載の発明では、ピンに誤って手が触れて、調整したモジュレーション板の設定位置が狂ってしまう場合があった。
【０００５】
本発明は、このような状況を鑑みてなされたものであり、モジュレーション板の設定位置が容易に狂わないようにするものである。
【課題を解決するための手段】
【０００６】
本発明の第１の側面の対物レンズは、モジュレーション板を備える対物レンズであって、前記モジュレーション板を収納する筒状の筐体と、前記筐体に嵌合され、前記対物レンズの光軸と平行な方向に移動可能である固定部材と、前記筐体の周囲に設けられているフランジと前記固定部材の間に設けられ、前記光軸を中心に前記モジュレーション板を回転させる位置決め部材と、前記筐体に嵌合され、前記固定部材の方向に移動し、前記固定部材を介して前記位置決め部材を前記フランジの方向に押しつけ可能であり、また、前記固定部材と逆の方向に移動し、前記固定部材を介して前記位置決め部材を前記フランジの方向に押しつける力を緩和する第１の操作部材とを備える。
【０００７】
本発明の第１の側面においては、位置決め部材によりモジュレーション板が回転し、第１の操作部材を固定部材の方向に移動させることにより、固定部材を介して位置決め部材が筐体の周囲に設けられているフランジの方向に押しつけられ、第１の操作部材を固定部材と逆の方向に移動させることにより、固定部材を介して位置決め部材をフランジの方向に押しつける力が緩和される。
【０００８】
本発明の第２の側面の顕微鏡は、モジュレーション板を備える対物レンズであって、前記モジュレーション板を収納する筒状の筐体と、前記筐体に嵌合され、前記対物レンズの光軸と平行な方向に移動可能である固定部材と、前記筐体の周囲に設けられているフランジと前記固定部材の間に設けられ、前記光軸を中心に前記モジュレーション板を回転させる位置決め部材と、前記筐体に嵌合され、前記固定部材の方向に移動し、前記固定部材を介して前記位置決め部材を前記フランジの方向に押しつけ可能であり、また、前記固定部材と逆の方向に移動し、前記固定部材を介して前記位置決め部材を前記フランジの方向に押しつける力を緩和する操作部材とを備える対物レンズを備える。
【０００９】
本発明の第２の側面においては、位置決め部材によりモジュレーション板が回転し、操作部材を固定部材の方向に移動させることにより、固定部材を介して位置決め部材が筐体の周囲に設けられているフランジの方向に押しつけられ、操作部材を固定部材と逆の方向に移動させることにより、固定部材を介して位置決め部材をフランジの方向に押しつける力が緩和される。
【発明の効果】
【００１０】
本発明によれば、モジュレーション板の設定位置が容易に狂わないようにすることができる。
【発明を実施するための最良の形態】
【００１１】
図１は、本発明を適用した顕微鏡の一実施の形態を示す外観図である。図１の顕微鏡１は、モジュレーションコントラスト観察が可能な倒立型の顕微鏡１である。
【００１２】
レボルバ１４には、複数の対物レンズが取り付けられており、ユーザは、レボルバ１４を回転させて、ステージ１３上に設置された標本の観察に用いる対物レンズを選択する。なお、図１においては、図を分かりやすくするために、１つの対物レンズ１５のみを図示している。また、ユーザは、操作部２０を操作することにより、ステージ１３の水平方向（X軸およびY軸方向）の位置を調整し、ステージ１３上に設置された標本（図示せず）の観察位置を調整する。さらに、ユーザは、本体１１の側面に設けられている焦準ノブ２１によりピント合わせを行う。
【００１３】
また、顕微鏡１においては、透過照明と落射照明による標本の観察が可能である。具体的には、照明支柱１２の上端に設けられている透過照明用装置１６から発せられた透過照明光は、コンデンサレンズ１７を介して、上方からステージ１３上に設置された標本に照射される。そして、ユーザは、標本を透過した透過照明光による像を、接眼鏡筒１９を介して観察したり、本体１１のカメラポート２２に装着した図示せぬカメラにより撮影する。
【００１４】
また、本体１１に取り付けられている不図示の落射照明装置から発せられた落射照明光は、図示せぬミラーなどによりその進行方向が変えられ、最終的に対物レンズ１５を介して、下方からステージ１３上に設置された標本に照射される。そして、ユーザは、落射照明光を照射することにより標本により発せられたり、標本により反射された光の像を、接眼鏡筒１９を介して観察したり、本体１１のカメラポート２２に装着したカメラにより撮影する。また、本体１１には、各種装置が取り付けられるハブポート１８が設けられている。
【００１５】
次に、図２および図３を参照して、本発明を適用した対物レンズ１５の詳細について説明する。図２は、対物レンズ１５の断面図であり、図３は、対物レンズ１５のクランプ用のパッド６４を対物レンズ１５の物体側の方向から見た正面図である。なお、以下、対物レンズ１５の物体と対向する側（物体側）を対物レンズ１５の先端とし、レボルバ１４に取り付けられる側（像側）を対物レンズ１５の後端とする。
【００１６】
対物レンズ１５の筐体を構成する鏡筒５１の内部には、レンズ５２乃至５５の４群のレンズが収納されている。レンズ５２、レンズ５３およびレンズ５５は、光軸が一致するように、それぞれレンズ室５６、レンズ室５７およびレンズ室５９により保持されている。レンズ５４は、対物レンズ１５の光軸である、レンズ５２、レンズ５３およびレンズ５５の光軸Ａ１に対して光軸が少し傾くようにレンズ室５８により保持され、モジュレーション板として用いられる。
【００１７】
鏡筒５１の内側には、物体側から順に、レンズ室５６、レンズ室５７、分離環６０、レンズ室５９が嵌合されている。レンズ室５６、レンズ室５７、分離環６０、レンズ室５９は、鏡筒５１の内側の後端に取り付けられている押え環６１により、光軸Ａ１の方向の位置が固定されている。また、分離環６０により、レンズ室５７とレンズ室５９の間隔が一定に保たれている。
【００１８】
分離環６０の内側には、レンズ室５７が、光軸Ａ１を中心に回転自在となるように嵌合されている。レンズ室５７の外周には、直径方向で対向する２箇所に穴が設けられており、その穴にネオジム磁石６２−１，６２−２が取り付けられている。
【００１９】
鏡筒５１の外周には、物体側から順に、対物レンズの倍率や開口数を外周に表示した飾り環６３、パッド６４、回転操作環６５が嵌合されている。
【００２０】
飾り環６３は、小ネジ６６により鏡筒５１に固定されている。
【００２１】
固定部材であるパッド６４は、図３に示されるように、内周にキー溝６４Ａが設けられている。パッド６４は、鏡筒５１の外周に締結された小ネジ６７がキー溝６４Ａの内側に位置するように鏡筒５１に嵌合され、鏡筒５１の周方向における位置が固定されるとともに、光軸Ａ１と平行な方向に移動可能とされている。
【００２２】
位置決め部材である回転操作環６５は、パッド６４と、鏡筒５１の周囲に設けられているフランジ５１Ａの間に挟まれるように鏡筒５１に嵌合され、光軸Ａ１を中心に鏡筒５１の外周に沿って３６０度回転することができる。また、回転操作環６５の内側の直径方向で対向する２箇所には、円柱状の穴が設けられている。回転操作環６５は鉄でできており、その内側の２箇所の穴には円柱状のネオジム磁石６８−１および６８−２が吸着し、収納されている。
【００２３】
磁石６２−１と磁石６８−１、および、磁石６２−２と磁石６８−２は、鏡筒５１および分離環６０を介して、ほぼ対向する位置に配置されており、各組の間に磁力が働いている。従って、回転操作環６５を光軸Ａ１回りに鏡筒５１の周りを回転させることにより、磁石６８−１および６８−２が鏡筒５１の周りを回転し、その動きに磁石６２−１および磁石６２−２が追従する。これにより、レンズ５４を保持するレンズ室５８を、光軸Ａ１を中心に３６０度回転させることができ、レンズ５４の回転方向の位置を調整することができる。
【００２４】
なお、レンズ室５７および回転操作環６５の対向する位置に磁石を設ける箇所は、２箇所に限定されるものではなく、１箇所あるいは３箇所以上とすることも可能である。
【００２５】
第１の操作部材であるクランプ環６９は、飾り環６３の像側の端部の外周に設けられているネジ部にネジ嵌合されている。クランプ環６９は、光軸Ａ１回りに鏡筒５１および飾り環６３の周りを所定の方向（以下、クランプ方向と称する）に回転させることにより、飾り環６３との間のネジ送り機構によりパッド６４の方向に移動し、クランプ環６９とパッド６４の間に設けられているワッシャ７０およびパッド６４を介して、回転操作環６５をフランジ５１Ａに押しつける。そして、クランプ環６９の像側の端部が、回転操作環６５の面６５Ａに当接したとき、回転操作環６５が、パッド６４およびフランジ５１Ａとの間の摩擦力により、光軸Ａ１回りに回転しないようにクランプされる。これにより、ユーザが回転操作環６５に誤って触れて、レンズ５３の回転方向の設定位置が狂うことが防止される。
【００２６】
また、クランプ環６９をクランプ方向と逆方向に光軸Ａ１回りに回転させることにより、クランプ環６９がパッド６４と逆の方向（パッド６４から離れる方向）に移動し、ワッシャ７０およびパッド６４を介して回転操作環６５をフランジ５１Ａの方向に押しつける力が緩和され、回転操作環６５のクランプが解除される。これにより、回転操作環６５によりレンズ５４の回転方向の位置を調整することが可能になる。
【００２７】
本実施の形態では、第１の操作部材として、ネジ送り機構を備えたクランプ環を例に示したが、固定部材の方向、逆方向に移動し、位置決め部材のフランジへの押しつけや、その緩和が可能なものであれば良い。例えば、第１の操作部材を光軸方向にのみ移動可能として、クリック機構により光軸方向の位置が固定されるような構成でもよい。
【００２８】
なお、ワッシャ７０は、クランプ環６９に対して摩擦が小さい材料でできており、クランプ環６９をクランプ方向と逆方向に容易に回転させることができる。すなわち、回転操作環６５のクランプを容易に解除することができる。
【００２９】
また、回転操作環６５とクランプ環６９の最大径が異なっているため、ユーザは、対物レンズ１５を見なくても、回転操作環６５およびクランプ環６９を感覚的に区別して操作することができ、誤操作を防ぐことができる。
【００３０】
次に、図４乃至図６を参照して、本発明を適用した対物レンズの第２の実施の形態について説明する。図４は、対物レンズ１０１の断面図であり、図５は、対物レンズ１０１のクランプ用のパッド１３５を対物レンズ１０１の物体側の方向から見た正面図である。なお、以下、対物レンズ１０１の物体と対向する側（物体側）を先端とし、レボルバ１４に取り付けられる側（像側）を後端とする。
【００３１】
対物レンズ１０１は、図２の対物レンズ１５と同様に、モジュレーション板を備える対物レンズであり、顕微鏡１のレボルバ１４に取り付けて使用することが可能である。
【００３２】
対物レンズ１０１の筐体を構成する鏡筒１１１および鏡筒１１２の内部には、レンズ１１３乃至１１８の６群のレンズが収納されている。レンズ１１３乃至１１５、レンズ１１７およびレンズ１１８は、光軸が一致するように、それぞれレンズ室１１９乃至１２１、レンズ室１２３およびレンズ室１２４により保持されている。レンズ１１６は、対物レンズ１０１の光軸である、レンズ１１３乃至１１５、レンズ１１７およびレンズ１１８の光軸Ａ１１に対して光軸が少し傾くようにレンズ室１２２により保持され、モジュレーション板として用いられる。
【００３３】
鏡筒１１１の内側には、物体側から順に、レンズ室１１９、レンズ室１２０、および、鏡筒１１２が嵌合されている。
【００３４】
レンズ室１１９は、フランジ１１９Ａが鏡筒１１１の先端に当接し、鏡筒１１１の先端部と、鏡筒１１１の先端部の外周に設けられているネジ部にネジ嵌合されているナット１２５により、鏡筒１１１から外れないように挟み込まれている。
【００３５】
レンズ室１２０は、光軸Ａ１１と平行な方向に移動可能となるように鏡筒１１１に嵌合されている。また、レンズ室１２０には、鏡筒１１１の内周の突起部１１１Ａとの間に設けられているコイルばね１２６により、対物レンズ１０１の先端方向に押す力が働いている。レンズ室１２０の外周には、棒ネジ１２７が締結され、棒ネジ１２７の外周には、カムフォロワ１２８が棒ネジ１２７の軸回りに回転可能となるように嵌合されている。なお、以下、棒ネジ１２７とカムフォロワ１２８を組み合わせたものを接触子１６１と称する。接触子１６１は、鏡筒１１１の側面に設けられている開口部であるガイド穴１１１Ｂに挿入されている。
【００３６】
鏡筒１１２は、鏡筒１１１の内周の突起部１１１Ａと、鏡筒１１２の後端部の内周に設けられているネジ部にネジ嵌合された押え環１２９により、光軸Ａ１１の方向の位置が固定されている。
【００３７】
鏡筒１１２の内側には、物体側から順に、レンズ室１２１、レンズ室１２２、レンズ室１２３、分離環１３０、レンズ室１２４が嵌合されている。
【００３８】
レンズ室１２１は、フランジ１２１Ａが鏡筒１１２の先端に当接し、鏡筒１１２の側面に設けられた穴を介して、外周に設けられたＶ字溝にセットビス１３１が挿入され、その位置が固定されている。
【００３９】
レンズ室１２２は、レンズ室１２１と鏡筒１１２の内周の突起部１１２Ａにより光軸Ａ１１の方向の位置が固定されるとともに、光軸Ａ１１を中心に回転自在とされている。レンズ室１２２の外周には、直径方向で対向する２箇所に穴が設けられており、その穴にネオジム磁石１３３−１，１３３−２が取り付けられている。
【００４０】
レンズ室１２３、分離環１３０、レンズ室１２４は、鏡筒１１２の内周の突起部１１２Ａと、鏡筒１１２の後端部の内周に設けられているネジ部にネジ嵌合された押え環１３２により、光軸Ａ１１の方向の位置が固定されている。
【００４１】
鏡筒１１１の外周には、物体側から順に、対物レンズの倍率や開口数を外周に表示した飾り環１３４、パッド１３５、回転操作環１３６、円筒カム１３７、指標環１３８が嵌合されている。
【００４２】
飾り環１３４は、小ネジ１３９により鏡筒１１１に固定されている。
【００４３】
パッド１３５は、図５に示されるように、内周にキー溝１３５Ａが設けられている。パッド１３５は、鏡筒１１１の外周に締結された小ネジ１４０がキー溝１３５Ａの内側に位置するように鏡筒１１１に嵌合され、鏡筒１１１の周方向における位置が固定されるとともに、光軸Ａ１１と平行な方向に移動可能とされている。
【００４４】
回転操作環１３６は、光軸Ａ１１方向において、パッド１３５と、鏡筒１１１の周囲に設けられているフランジ１１１Ｃの間に挟まれるように鏡筒１１１に嵌合され、光軸Ａ１１を中心に鏡筒１１１の外周に沿って３６０度回転することができる。また、回転操作環１３６の内側の直径方向で対向する２箇所に円柱状の穴が設けられている。回転操作環１３６は鉄でできており、その内側の２箇所の穴には円柱状のネオジム磁石１４１−１および１４１−２が吸着し、収納されている。
【００４５】
磁石１３３−１と磁石１４１−１、および、磁石１３３−２と磁石１４１−２は、鏡筒１１１、レンズ室１２０および鏡筒１１２を介して、ほぼ対向する位置に配置されており、各組の間に磁力が働いている。従って、回転操作環１３６を光軸Ａ１１周りに鏡筒１１１の周りを回転させることにより、磁石１４１−１および１４１−２が鏡筒１１１の周りを回転し、その動きに磁石１３３−１および磁石１３３−２が追従する。これにより、レンズ１１６を保持するレンズ室１２２を、光軸Ａ１１を中心に３６０度回転させることができ、レンズ１１６の回転方向の位置を調整することができる。
【００４６】
なお、レンズ室１２２および回転操作環１３６の対向する位置に磁石を設ける箇所は、２箇所に限定されるものではなく、１箇所あるいは３箇所以上とすることも可能である。
【００４７】
クランプ環１４２は、飾り環１３４の像側の端部の外周に設けられているネジ部にネジ嵌合されている。クランプ環１４２は、光軸Ａ１１回りに鏡筒１１１および飾り環１３４の周りを所定の方向（以下、クランプ方向と称する）に回転させることにより、飾り環１３４との間のネジ送り機構によりパッド１３５の方向に移動し、クランプ環１４２とパッド１３５の間に設けられているワッシャ１４３およびパッド１３５を介して、回転操作環１３６をフランジ１１１Ｃに押しつける。そして、クランプ環１４２の像側の端部が、回転操作環１３６の面１３６Ａに当接したとき、回転操作環１３６が、パッド１３５およびフランジ１１１Ｃとの間の摩擦力により、光軸Ａ１１回りに回転しないようにクランプされる。これにより、ユーザが回転操作環１３６に誤って触れて、レンズ５３の回転方向の設定位置が狂うことが防止される。
【００４８】
また、クランプ環１４２をクランプ方向と逆方向に光軸Ａ１１回りに回転させることにより、クランプ環１４２がパッド１３５と逆方向（パッド１３５から離れる方向）に移動し、ワッシャ１４３およびパッド１３５を介して回転操作環１３６をフランジ１１１Ｃの方向に押しつける力が緩和され、回転操作環１３６のクランプが解除される。これにより、回転操作環１３６によりレンズ１１６の回転方向の位置を調整することが可能になる。
【００４９】
なお、ワッシャ１４３は、クランプ環１４２に対して摩擦が小さい材料でできており、クランプ環１４２をクランプ方向と逆方向に容易に回転させることができる。すなわち、回転操作環１３６のクランプを容易に解除することができる。
【００５０】
円筒カム１３７の外周には、目盛環１４４が嵌合され、小ネジ１４６により固定されている。円筒カム１３７は、目盛環１４４とともに光軸Ａ１１を中心に鏡筒１１１の外周に沿って回転できるように鏡筒１１１に嵌合されている。また、円筒カム１３７は、鏡筒１１１のフランジ１１１Ｃと、小ネジ１４６により鏡筒１１１の外周に固定されている指標環１３８とに挟まれ、光軸Ａ１１の方向の位置が固定されている。
【００５１】
図６に示されるように、鏡筒１１１のガイド穴１１１Ｂは、長手方向が光軸Ａ１１と平行な矢印Ａ２１の方向に延びる小判形の穴である。ガイド穴１１１Ｂの横方向（長手方向と垂直な方向）の幅とカムフォロワ１２８の直径とはほぼ一致しており、これにより、接触子１６１の鏡筒１１１の周方向における位置が固定される。また、接触子１６１は、ガイド穴１１１Ｂに沿って矢印Ａ２１の方向に移動可能とされている。
【００５２】
円筒カム１３７の案内面１３７Ａは、ガイド穴１１１Ｂに対して垂直な面で、ガイド穴１１１Ｂの上を斜め方向に横切っている。また、案内面１３７Ａは、ガイド穴１１１Ｂから鏡筒１１１の外周に突出している接触子１６１（カムフォロワ１２８）の側面の一部と接触している。
【００５３】
目盛環１４４を光軸Ａ１１回りに鏡筒１１１の周りを回転させると、小ネジ１４５により目盛環１４４と接続されている円筒カム１３７も、光軸Ａ１１回りに鏡筒１１１の周りを回転する。このとき、案内面１３７Ａのガイド穴１１１Ｂの上を横切る位置が、矢印Ａ２１の方向に移動する。
【００５４】
案内面１３７Ａの方向に押す力が、コイルばね１２６によりレンズ室１２０を介して接触子１６１に加えられており、この力により、接触子１６１と案内面１３７Ａが接触した状態が保持される。そして、円筒カム１３７が鏡筒１１１の周りを回転すると、案内面１３７Ａにより光軸Ａ１１と平行な矢印Ａ２１の方向の運動が接触子１６１に与えられ、接触子１６１は案内面１３７Ａに沿って矢印Ａ２１の方向に移動する。これにより、レンズ室１２０を介して接触子１６１に接続されているレンズ１１４が光軸Ａ１１の方向に移動し、レンズ１１４の光軸Ａ１１の方向の位置を調整することができる。
【００５５】
なお、ユーザは、目盛環１４４の外周に示されている目盛を、指標環１３８の外周に示されている指標に合わせながら、レンズ１１４の光軸Ａ１１の方向の位置をカバーガラスの厚さに適した位置に調整する。
【００５６】
また、回転操作環１３６、クランプ環１４２、目盛環１４４の最大径がそれぞれ異なっているため、ユーザは、対物レンズ１０１を見なくても、回転操作環１３６、クランプ環１４２、目盛環１４４を感覚的に区別して操作することができる。
【００５７】
なお、本発明の実施の形態は、上述した実施の形態に限定されるものではなく、本発明の要旨を逸脱しない範囲において種々の変更が可能である。
【図面の簡単な説明】
【００５８】
【図１】本発明を適用した顕微鏡の一実施の形態を示す外観図である。
【図２】本発明を適用した対物レンズの第１の実施の形態を示す断面図である。
【図３】図２の対物レンズのクランプ用のパッドの正面図である。
【図４】本発明を適用した対物レンズの第２の実施の形態を示す断面図である。
【図５】図４の対物レンズのクランプ用のパッドの正面図である。
【図６】カムと接触子の動きを説明するための図である。
【符号の説明】
【００５９】
１  顕微鏡，  １５  対物レンズ，  ５１  鏡筒，  ５１Ａ  フランジ，  ５２乃至５５  レンズ，  ５６乃至５９  レンズ室，  ６２−１，６２−２  ネオジム磁石，  ６３  飾り環，  ６４  パッド，  ６５  回転操作環，  ６８−１，６８−２  ネオジム磁石，  ６９  クランプ環，  ７０  ワッシャ，  １０１  対物レンズ，  １１１  鏡筒，  １１１Ｂ  ガイド穴，  １１１Ｃ  フランジ，  １１２  鏡筒，  １１３乃至１１８  レンズ，  １１９乃至１２４  レンズ室，  １２６  コイルばね，  １２７  棒ネジ，  １２８  カムフォロワ，  １３３−１，１３３−２  ネオジム磁石，  １３４  飾り環，  １３５  パッド，  １３６  回転操作環，  １３７  円筒カム，  １４１−１，１４１−２  ネオジム磁石，  １４２  クランプ環，  １４３  ワッシャ，  １４４  目盛環，  １６１  接触子
【図１】
2010008629.tif 000003
【図２】
2010008629.tif 000004
【図３】
2010008629.tif 000005
【図４】
2010008629.tif 000006
【図５】
2010008629.tif 000007
【図６】
2010008629.tif 000008